(57)【要約】  【課題】  第１の筐体及び第２の筐体の表裏両面に操作部又は表示部、もしくは操作部及び表示部を有し、機能に応じて切り替え可能な携帯操作装置を提供することを目的とする。  【解決手段】  操作部又は表示部、もしくは操作部及び表示部がそれぞれ設けてある第１の筐体及び第２の筐体を折り畳み可能に連結する連結部を備える携帯操作装置において、連結部は、第１の筐体及び第２の筐体を、各筐体の折り畳みに係る軸に対して直交する方向を中心として、それぞれ１８０度以上回転可能とすべくなしてある。操作部又は表示部、もしくは操作部及び表示部は、それぞれ異なる機能に対応しており、折り畳み時に対向することが可能な面に設けてある。【選択図】        図１
2005311787.tif 000002
【特許請求の範囲】
【請求項１】
操作部又は表示部、もしくは操作部及び表示部がそれぞれ設けてある第１の筐体及び第２の筐体を折り畳み可能に連結する連結部を備える携帯操作装置において、
前記連結部は、前記第１の筐体及び前記第２の筐体を、各筐体の折り畳みに係る軸に対して直交する方向を中心として、それぞれ１８０度以上回転可能とすべくなしてあることを特徴とする携帯操作装置。
【請求項２】
前記操作部又は表示部、もしくは操作部及び表示部は、それぞれ異なる機能に対応しており、折り畳み時に対向することが可能な面に設けてあることを特徴とする請求項１記載の携帯操作装置。
【請求項３】
前記連結部は、前記第１の筐体及び前記第２の筐体を脱着可能に連結してあることを特徴とする請求項１又は２に記載の携帯操作装置。
【請求項４】
前記第１の筐体、及び前記第２の筐体が備えた操作部又は表示部、もしくは操作部及び表示部のうち、どの操作部又は表示部、もしくは操作部及び表示部が有効であるか否かを決定する決定ボタンを前記第１の筐体及び前記第２の筐体の折り畳み時に対向することが可能な面に備えることを特徴とする請求項１乃至３のいずれか一項に記載の携帯操作装置。
【請求項５】
前記第１の筐体又は前記第２の筐体のいずれかに対向する蓋部を備え、
該蓋部は、前記連結部を介して前記第１の筐体及び前記第２の筐体を折り畳み可能に、かつ折り畳みに係る軸に対して直交する方向を中心として１８０度以上回転可能に連結する他の連結部を備えることを特徴とする請求項１乃至４のいずれか一項に記載の携帯操作装置。
【請求項６】
前記第１の筐体又は前記第２の筐体のいずれかに対向する蓋部を備え、
該蓋部は、前記連結部を介して前記第１の筐体及び前記第２の筐体を折り畳み可能に、かつ折り畳みに係る軸に対して直交する方向を中心として１８０度以上回転可能に連結する他の連結部を備え、
前記蓋部は、前記第１の筐体及び前記第２の筐体を折り畳んだ場合に、前記第１の筐体及び前記第２の筐体のどの操作部又は表示部、もしくは操作部及び表示部が有効であるか否かを決定する決定ボタンに対応する位置に配置した前記決定ボタンを押下する突起部とを備えることを特徴とする請求項１乃至３のいずれか一項に記載の携帯操作装置。
【請求項７】
前記他の連結部は、前記連結部と脱着可能に連結してあることを特徴とする請求項５又は６に記載の携帯操作装置。
【請求項８】
前記蓋部は、前記第１の筐体又は前記第２の筐体のいずれかに対向することが可能な面及び該面の背面に、それぞれ異なる機能に対応する操作部又は表示部、もしくは操作部及び表示部を備えることを特徴とする請求項５乃至７のいずれか一項に記載の携帯操作装置。
【発明の詳細な説明】
【技術分野】
【０００１】
本発明は、折り畳み可能であり、折り畳む方向、方法に応じて複数の操作機能を実現する携帯操作装置に関する。
【背景技術】
【０００２】
近年、デジタルテレビジョン、ＤＶＤレコーダ等のデジタル家電が一般家庭に急速に普及している。デジタル家電に含まれる装置の大半は、機器に備えた操作盤からの操作よりも、むしろ遠隔操作装置（以下、リモコン装置という）を用いて操作する。
【０００３】
また、最近では液晶ディスプレイを備えた多機能型の携帯電話、携帯装置等も多々開発されており、物理的に限られた空間の中で、いかに複数の機能をユーザが誤ることなく使用することできるかが、大きな課題の１つとなっている。
【０００４】
例えば、従来の折り畳み式携帯電話機では、特許文献１に開示しているように、第１の筐体と第２の筐体とからなり、第１の筐体と第２の筐体とは、ヒンジを介して連結され、ヒンジを軸として角変位自在に動くことで折り畳み可能に構成されている。
【０００５】
第１の筐体には第１表示部を備え、第１の表示部の背面には第２の表示部を備えており、画像を表示する際には、第２表示部に送られてくる画像データは、表示した時にヒンジ方向が上になるように表示される。これにより、ユーザは携帯電話機を折り畳んだ状態で使用する際に、ヒンジを上に向けて使用する限り、開いたり閉じたりするたびに、携帯電話機の向きを変えたり持ち替えたりする必要がなくなり、操作性及び利便性を向上させている。
【特許文献１】特開２００４−１０４２０７号公報
【発明の開示】
【発明が解決しようとする課題】
【０００６】
しかし、上述した従来の折り畳み式携帯電話機では、例えば電話機能とカメラ撮影機能とを搭載している場合、別個の位置にそれぞれの操作部を設けるか、又は１つのボタンに複数の機能を持たせる必要があった。前者の場合、機能が豊富になればなるほど操作部の数も増大し、ユーザがすべてを覚えて使いこなせるようになるまで、相当の期間を要するという問題点があった。また後者の場合、ユーザがすべてを覚えて使いこなせるようになるまで、相当の期間を要するとともに、たとえ各機能の操作をすべて覚えて使いこなせるようになった場合であっても、状況によっては誤って操作をする可能性が高く、操作の正確性を担保することができないという問題点があった。
【０００７】
今後、携帯電話機に、テレビジョンシステムの遠隔操作機能、ドアのキー解除機能等、多種多様な機能が付加されようとしている現在において、多機能化した場合であっても、ユーザが容易に操作を行うことができる操作部を具現化する必要性が高まっている。
【０００８】
本発明は、斯かる事情に鑑みてなされたものであり、第１の筐体及び第２の筐体の表裏両面に操作部又は表示部、もしくは操作部及び表示部を有し、機能に応じて切り替え可能な携帯操作装置を提供することを目的とする。
【０００９】
また本発明は、第１の筐体及び第２の筐体を折り畳んで格納可能な蓋部を備え、該蓋部の表裏両面にも操作部又は表示部、もしくは操作部及び表示部を有し、機能に応じて切り替え可能な携帯操作装置を提供することを目的とする。
【００１０】
また本発明は、第１の筐体及び第２の筐体と蓋部とが脱着可能であり、用途に応じて交換することが可能な携帯操作装置を提供することを目的とする。
【課題を解決するための手段】
【００１１】
上記目的を達成するために本発明に係る携帯操作装置は、操作部又は表示部、もしくは操作部及び表示部がそれぞれ設けてある第１の筐体及び第２の筐体を折り畳み可能に連結する連結部を備える携帯操作装置において、前記連結部は、前記第１の筐体及び前記第２の筐体を、各筐体の折り畳みに係る軸に対して直交する方向を中心として、それぞれ１８０度以上回転可能とすべくなしてあることを特徴とする。
【００１２】
本発明に係る携帯操作装置では、第１の筐体及び第２の筐体を折り畳み可能に連結する連結部は、各筐体の折り畳みに係る軸に対して直交する方向を中心として、それぞれ１８０度以上回転可能となっている。これにより、携帯操作装置を折り畳んだ状態で、第１の筐体の２面、第２の筐体の２面の合計４面のうち、いずれか１面がユーザの方に対向することになり、例えば各面にそれぞれ異なる機能に対応する操作部、表示部等が配置されている場合、４つの機能をユーザが使い分けることができ、ユーザによる誤操作を未然に回避することも可能となる。
【００１３】
また、本発明に係る携帯操作装置は、前記操作部又は表示部、もしくは操作部及び表示部は、それぞれ異なる機能に対応しており、折り畳み時に対向することが可能な面に設けてあることを特徴とする。
【００１４】
本発明に係る携帯操作装置では、第１の筐体及び第２の筐体を折り畳む時に対向する面に、それぞれ異なる機能に対応する操作部又は表示部、もしくは操作部及び表示部を備える。これにより、携帯操作装置を折り畳んだ状態で、ユーザの方へ対向する４つの面ごとに異なる機能に対応する操作部、表示部等が配置することで、ユーザは４つの機能を面ごとに使い分けることができ、ユーザによる誤操作を未然に回避することが可能となる。
【００１５】
また、本発明に係る携帯操作装置は、前記連結部は、前記第１の筐体及び前記第２の筐体を脱着可能に連結してあることを特徴とする。
【００１６】
本発明に係る携帯操作装置では、連結部と、第１の筐体及び第２の筐体とが脱着可能であり、それぞれ他の筐体と交換することができる。これにより、携帯操作装置に４つ以上の機能を包含させる必要が生じた場合であっても、対応した操作部、表示部等を配置してある他の筐体に交換することができ、ユーザが使用対象であると認識している機能に対して、正確な操作を行うことが可能となる。
【００１７】
また、本発明に係る携帯操作装置は、前記第１の筐体、及び前記第２の筐体が備えた操作部又は表示部、もしくは操作部及び表示部のうち、どの操作部又は表示部、もしくは操作部及び表示部が有効であるか否かを決定する決定ボタンを前記第１の筐体及び前記第２の筐体の折り畳み時に対向することが可能な面に備えることを特徴とする。
【００１８】
本発明に係る携帯操作装置では、前記第１の筐体、及び前記第２の筐体が備えた操作部又は表示部、もしくは操作部及び表示部のうち、どれを有効にするのか決定する決定ボタンを備える。これにより、例えばユーザが、携帯操作装置を折り畳んだ状態で把持している場合、ユーザの方へ対向する面の反対側の面の操作ボタン等をユーザが誤って操作した場合であっても誤操作が生じることがなく、ユーザが使用対象であると認識している機能に対して、正確な操作を行うことが可能となる。
【００１９】
また、本発明に係る携帯操作装置は、前記第１の筐体又は前記第２の筐体のいずれかに対向する蓋部を備え、該蓋部は、前記連結部を介して前記第１の筐体及び前記第２の筐体を折り畳み可能に、かつ折り畳みに係る軸に対して直交する方向を中心として１８０度以上回転可能に連結する他の連結部を備えることを特徴とする。
【００２０】
本発明に係る携帯操作装置では、連結部を介して第１の筐体及び第２の筐体を折り畳み可能に連結する他の連結部を備えた蓋部を有する。これにより、例えばユーザが、携帯操作装置を折り畳んだ状態で把持している場合であっても、ユーザの方へ対向する面の反対側の面の操作ボタン等は蓋部により保護されていることから、ユーザが誤って操作することがなく、ユーザが使用対象であると認識している機能に対して、正確な操作を行うことが可能となる。
【００２１】
また、本発明に係る携帯操作装置は、前記第１の筐体又は前記第２の筐体のいずれかに対向する蓋部を備え、該蓋部は、前記連結部を介して前記第１の筐体及び前記第２の筐体を折り畳み可能に、かつ折り畳みに係る軸に対して直交する方向を中心として１８０度以上回転可能に連結する他の連結部を備え、前記蓋部は、前記第１の筐体及び前記第２の筐体を折り畳んだ場合に、前記第１の筐体及び前記第２の筐体のどの操作部又は表示部、もしくは操作部及び表示部が有効であるか否かを決定する決定ボタンに対応する位置に配置した前記決定ボタンを押下する突起部とを備えることを特徴とする。
【００２２】
本発明に係る携帯操作装置では、連結部を介して第１の筐体及び第２の筐体を折り畳み可能に連結する他の連結部を備えた蓋部を有するとともに、該蓋部は、第１の筐体及び第２の筐体を折り畳んだ場合の決定ボタンに対応する位置に突起部を備え、第１の筐体及び第２の筐体を折り畳んだ場合に決定ボタンを継続して押し下げる。これにより、例えば決定ボタンが所定時間以上継続して押し下げられた場合、該決定ボタンを有する面に備えた操作部又は表示部、もしくは操作部及び表示部を無効にすることができ、ユーザの方へ対向する面に備えた操作部又は表示部、もしくは操作部及び表示部のみを有効にすることで、正確な操作を行うことが可能となる。
【００２３】
また、本発明に係る携帯操作装置は、前記他の連結部は、前記連結部と脱着可能に連結してあることを特徴とする。
【００２４】
本発明に係る携帯操作装置では、他の連結部は、第１の筐体及び第２の筐体と連結している連結部と脱着可能に連結してあり、第１の筐体及び第２の筐体を一組とした他の筐体と交換可能となっている。これにより、携帯操作装置に４つ以上の機能を包含させる必要が生じた場合であっても、対応した操作部、表示部等を配置してある筐体に交換することができ、ユーザが使用対象であると認識している機能に対して、正確な操作を行うことが可能となる。
【００２５】
また、本発明に係る携帯操作装置は、前記蓋部は、前記第１の筐体又は前記第２の筐体のいずれかに対向することが可能な面及び該面の背面に、それぞれ異なる機能に対応する操作部又は表示部、もしくは操作部及び表示部を備えることを特徴とする。
【００２６】
本発明に係る携帯操作装置では、蓋部の第１の筐体又は第２の筐体のいずれかに対向することが可能な面及びその背面に、それぞれ異なる機能に対応する操作部又は表示部、もしくは操作部及び表示部を備える。これにより、第１の筐体の２面、第２の筐体の２面と併せて６面のいずれか１面がユーザの方に対向することになり、例えば各面がそれぞれ異なる機能に対応するよう操作部、表示部等が配置されている場合、６つの機能をユーザが使い分けることができ、ユーザによる誤操作を未然に回避することも可能となる。
【発明の効果】
【００２７】
本発明によれば、携帯操作装置を折り畳んだ状態で、第１の筐体の表裏２面、又は第２の筐体の表裏２面のいずれか１面がユーザの方に対向することになり、例えば各面にそれぞれ異なる機能に対応する操作部、表示部等が配置されている場合、４つの機能をユーザが使い分けることができ、ユーザによる誤操作を未然に回避することも可能となる。
【００２８】
本発明によれば、携帯操作装置を折り畳んだ状態で、ユーザの方へ対向する４つの面ごとに異なる機能に対応する操作部、表示部等が配置することで、ユーザは４つの機能を面ごとに使い分けることができ、ユーザによる誤操作を未然に回避することが可能となる。
【００２９】
本発明によれば、携帯操作装置に４つ以上の機能を包含させる必要が生じた場合であっても、対応した操作部、表示部等を配置してある他の筐体に交換することができ、ユーザが使用対象であると認識している機能に対して、正確な操作を行うことが可能となる。
【００３０】
本発明によれば、例えばユーザが、携帯操作装置を折り畳んだ状態で把持している場合、ユーザの方へ対向する面の反対側の面の操作ボタン等をユーザが誤って操作した場合であっても誤操作が生じることがなく、ユーザが使用対象であると認識している機能に対して、正確な操作を行うことが可能となる。
【００３１】
本発明によれば、例えばユーザが、携帯操作装置を折り畳んだ状態で把持している場合であっても、ユーザの方へ対向する面の反対側の面の操作ボタン等は蓋部により保護されていることから、ユーザが誤って操作することがなく、ユーザが使用対象であると認識している機能に対して、正確な操作を行うことが可能となる。
【００３２】
本発明によれば、例えば決定ボタンが所定時間以上継続して押し下げられた場合、該決定ボタンを有する面に備えた操作部又は表示部、もしくは操作部及び表示部を無効にすることができ、ユーザの方へ対向する面に備えた操作部又は表示部、もしくは操作部及び表示部のみを有効にすることで、正確な操作を行うことが可能となる。
【００３３】
本発明によれば、携帯操作装置に４つ以上の機能を包含させる必要が生じた場合であっても、対応した操作部、表示部等を配置してある筐体に交換することができ、ユーザが使用対象であると認識している機能に対して、正確な操作を行うことが可能となる。
【００３４】
本発明によれば、第１の筐体の２面、第２の筐体の２面と併せて６面のいずれか１面がユーザの方に対向することになり、例えば各面がそれぞれ異なる機能に対応するよう操作部、表示部等が配置されている場合、６つの機能をユーザが使い分けることができ、ユーザによる誤操作を未然に回避することも可能となる。
【発明を実施するための最良の形態】
【００３５】
以下、本発明の実施の形態について図面を参照して説明する。
【００３６】
（実施の形態１）
図１は本発明の実施の形態１に係る携帯操作装置１を開いた状態での外観を示す斜視図であり、図２は本発明の実施の形態１に係る携帯操作装置１を開いた状態（ａ）及び折り畳んだ状態（ｂ）での側面図である。携帯操作装置１は第１の筐体２と第２の筐体３とからなり、第１の筐体２及び第２の筐体３は、それぞれコネクタ４、４及びヒンジ６、６を介して連結部７に連結されている。第１の筐体２及び第２の筐体３は、それぞれヒンジ６、６を軸として角変位自在に動くことで図２（ｂ）のように折り畳み可能に構成されている。
【００３７】
図３は、コネクタ４の構成を示す斜視図である。図３（ａ）に示すように、コネクタ４は、略角筒状の開口部を備え、第１の筐体２又は第２の筐体３を受け入れ可能となしてある。コネクタ４の底面部には、電気的な接続を維持するための電極子４２が設けてあり、差し込まれる第１の筐体２又は第２の筐体３に設けてある電極子と電気的に接続される。第１の筐体２又は第２の筐体３の幅方向に対応する両端部には切り欠き部を設けてあり、第１の筐体２又は第２の筐体３を係止するための係止部４１、４１を備えている。
【００３８】
係止部４１、４１は、図３（ｂ）に示すように、一端に第１の筐体２又は第２の筐体３を係止するための爪部４１１を、他端に第１の筐体２又は第２の筐体３を開放するための開放部４１２を、それぞれ備えており、略中央に位置する回転軸を中心として回転可能に、しかも爪部４１１が対向するように、コネクタ４に取り付けてある。
【００３９】
図４は、コネクタ４と第１の筐体２又は第２の筐体３との接続状態を説明する第１の筐体２又は第２の筐体３の幅方向の部分断面図である。第１の筐体２又歯第２の筐体３には、コネクタ４の係止部４１、４１に対応する位置に、爪部４１１、４１１による被係止部として凹部２１、２１が形成されている。
【００４０】
図４（ａ）に示すように、例えば第１の筐体２をコネクタ４へ差し込んでいくと、図４（ｂ）に示すように、コネクタ４の内面に差し込まれた第１の筐体２の外面により、係止部４１、４１が回転する。そして図４（ｃ）に示すように、凹部２１、２１が爪部４１１、４１１に対応する位置まで第１の筐体２を差し込んだ時点で、爪部４１１、４１１が凹部２１、２１と噛み合う。これにより、第１の筐体２をコネクタ４へ係止することが可能となる。
【００４１】
第１の筐体２をコネクタ４から開放する場合、係止部４１、４１に設けてある開放部４１２、４１２を外部から押さえることにより、係止部４１、４１が回転し、爪部４１１、４１１が凹部２１、２１から外れ、第１の筐体２をコネクタ４から抜くことが可能となる。
【００４２】
なお、本実施の形態１では、ヒンジ６、６にコネクタ４、４が直接形成されているが、コネクタ４、４を用いず、第１の筐体２及び第２の筐体３とヒンジ６、６とを、例えば回転部５、５を介して連結する構成であっても良い。図５は、回転部５、５を備える場合の携帯操作装置１を開いた状態での外観を示す斜視図である。
【００４３】
図５に示すように、回転部５、５は円柱形状を有しており、軸心を中心として１８０度以上回転可能となっている。つまり、第１の筐体２及び第２の筐体３は、回転部５、５を介して、回転部５、５の軸中心に１８０度回転可能であり、それぞれ所望の面を対向させてから、ヒンジ６、６を用いて折り畳むことができる。したがって、第１の筐体２及び第２の筐体３を取り外すことなく、回転により所望の面を対向させることが可能となる。
【００４４】
第１の筐体２と第２の筐体３とを、任意の面で対向させる方法は、上述したコネクタ４、４を用いて第１の筐体２及び第２の筐体３を抜き差しすることで面を変更する方法、回転部５、５を用いて第１の筐体２及び第２の筐体３を１８０度回転させる方法に限定されるものではなく、例えば両者を組み合わせた方法であってもよい。
【００４５】
ヒンジ６、６内には、第１の筐体２と第２の筐体３とを電気的に接続するための図示されない可撓性基板が組み込まれている。第１の筐体２又は第２の筐体３はコネクタ４、４とそれぞれ電気的に接続され、コネクタ４、４は可撓性基板やケーブルと接続されている。
【００４６】
図６は、本発明の実施の形態１に係る携帯操作装置１の操作可能な面を変更する状態の説明図である。図６（ａ）では、折り畳んである状態で第１筐体２の操作可能な面を面Ａとする。この状態で図６（ｂ）のように携帯操作装置１を開き、図６（ｃ）のように第１の筐体２をコネクタ４から開放し、１８０度反転させて再度コネクタ４へ取り付ける。その後、第１の筐体２を第２の筐体３へと図６（ｄ）のように折り畳む。これにより、操作可能な面を面Ａから面Ａ’へ変更することができる。
【００４７】
操作可能な面は、例えば図６（ａ）の状態では、面Ａと面Ｂとの２面である。したがって、ユーザは、使用用途に応じて、どの面が操作可能であるのか指定する必要がある。そこで、図１に示すように、各面に決定ボタン１１を設け、ユーザは、操作可能としたい面に備えた決定ボタン１１を押し下げ、開放する。
【００４８】
携帯操作装置１の演算処理部（ＣＰＵ：図示せず）は、決定ボタン１１を押し下げられ、所定の時間内に開放されたことを検知した面を操作可能な面であると判断し、他の面に設けた操作ボタン等に関する操作を受け付けない。つまり、例えばユーザが面Ａの決定ボタン１１を押し下げ、所定の時間内に開放した場合、面Ｂにおける操作ボタンについては操作を受け付けないことから、携帯操作装置１を把持する場合に、誤って面Ｂの何らかの操作ボタンを押し下げたときでも、斯かる操作ボタンの押し下げは検知されず、ユーザによる誤った操作を未然に防止することが可能となる。
【００４９】
また、決定ボタン１１を有する面を折り畳んだ場合に対抗する面の対応する位置に、決定ボタン１１を押し下げる突起部１２を備える。すなわち、図１において第１の筐体２を第２の筐体３側へ折り畳む場合、第１の筐体２に備えた決定ボタン１１が第２の筐体３に備えた突起部１２により押し下げられ、第２の筐体３に備えた決定ボタン１１が第１の筐体２に備えた突起部１２により押し下げられる。
【００５０】
そして、折り畳んでいる間、第１の筐体２に備えた決定ボタン１１及び第２の筐体３に備えた決定ボタン１１は継続して押し下げられており、携帯操作装置１の演算処理部は、決定ボタン１１が所定の時間経過しても開放されないことを検知し、折り畳まれた内面については、操作可能な面とは判断せず、操作ボタン等に対する操作を受け付けない。
【００５１】
以上のような構成とすることにより、折り畳んだ状態で操作可能とする面を１面のみとすることができ、４面それぞれに別の機能に対応する操作部、表示部等を設けることにより、最大４つの機能を１つの携帯操作装置１で操作することが可能となる。
【００５２】
なお、第１の筐体２又は第２の筐体３と、コネクタ４、４とは脱着可能であることから、操作すべき機能が４つを超える場合であっても、第１の筐体２又は第２の筐体３を別の機能を有する他の筐体と交換することにより、柔軟に対応可能である。
【００５３】
また、携帯操作装置１が、テレビジョン装置、ステレオ再生装置等の遠隔操作装置（以下、リモコン装置）として機能する場合、第１の筐体２及び第２の筐体３を折り畳んだ状態で、リモコン操作用の信号を送信可能とする必要がある。図７は、第１の筐体２の一面がリモコン装置として機能する場合の、操作信号発光部の位置の例を示す図である。
【００５４】
図７に示すように、操作信号発光部２２、２２は、第１の筐体２の連結部７側に設けており、連結部７により光が遮られることがない位置に配置されている。これにより、ユーザは、第１の筐体２を手前に折り畳んだそのままの状態でリモコン操作を行うことができる。
【００５５】
以上のように本実施の形態１では、携帯操作装置を折り畳んだ状態で、第１の筐体の２面、第２の筐体の２面の合計４面のうち、いずれか１面がユーザの方に対向することになり、例えば各面にそれぞれ異なる機能に対応する操作部、表示部等が配置されている場合、４つの機能をユーザが使い分けることができ、ユーザによる誤操作を未然に回避することも可能となる。
【００５６】
また、携帯操作装置に４つ以上の機能を包含させる必要が生じた場合であっても、追加すべき機能に対応した操作部、表示部等を配置してある他の筐体に交換することができ、ユーザが使用対象であると認識している機能に対して、正確な操作を行うことが可能となる。
【００５７】
さらに、例えばユーザが、携帯操作装置を折り畳んだ状態で把持している場合、ユーザの方へ対向する面の反対側の面の操作ボタン等をユーザが誤って操作した場合であっても誤操作が生じることがなく、ユーザが使用対象であると認識している機能に対して、正確な操作を行うことが可能となる。
【００５８】
（実施の形態２）
以下、本発明の実施の形態２に係る携帯操作装置１について説明する。本実施の形態２は、実施の形態１に係る携帯操作装置１に蓋部をさらに備えることを特徴とする。以下、実施の形態１と同様の構成については、同一の符号を付することで詳細な説明を省略する。
【００５９】
図８は、本発明の実施の形態２に係る携帯操作装置１に用いる蓋部１３の構成を示す斜視図である。蓋部１３は、連結部７と、接合体１４、及びヒンジ１６を介して蓋連結部１７に連結されている。連結部７は、ヒンジ１６を軸として角変位自在に動くことで、蓋部１３の中に第１の筐体２及び第２の筐体３を折り畳むことができるよう構成されている。
【００６０】
接合体１４は、略角柱状であり、回転部１５が連結している側と反対側の面に、連結部７と電気的に接続するための電極子１４２を備えている。図９は、本発明の実施の形態２に係る携帯操作装置１に用いる連結部７の構成を示す斜視図である。図９に示すように、連結部７の背面には、接合体１４を受け入れ可能なコネクタ７１を備え、コネクタ７１の底面部には、電気的な接続を維持するための電極子７１２が設けてあり、差し込まれる接合体１４に設けてある電極子１４２と電気的に接続される。
【００６１】
コネクタ７１の幅方向に対応する両端部には切り欠き部を設けてあり、接合体１４を係止するための係止部７１１、７１１を備えてある。接合体１４は、コネクタ７１の係止部７１１、７１１と対応する位置に、凹部１４１、１４１を備えている。コネクタ７１と接合体１４の係止方法は、実施の形態１におけるコネクタ４と第１の筐体２又は第２の筐体３と係止方法と同様であることから、詳細な説明は省略する。
【００６２】
コネクタ７１を介して、第１の筐体２及び第２の筐体３を取り付けてある連結部７が取り外し可能であることから、蓋部１３に対向させて折り畳む面を選択して連結部７へ第１の筐体２及び第２の筐体３を取り付けることにより、実施の形態１と同様、第１の筐体２又は第２の筐体３の所望の面を、蓋部１３と対向させることが可能となる。
【００６３】
なお、本実施の形態２では、ヒンジ１６にコネクタ７１が直接形成されているが、実施の形態１と同様、コネクタ７１を用いず、第１の筐体２及び第２の筐体３を取り付けてある連結部７とヒンジ１６とを、例えば回転部１５を介して連結する構成であっても良い。図１０は、回転部１５を備える場合の携帯操作装置１を開いた状態での外観を示す斜視図である。
【００６４】
図１０に示すように、回転部１５は円柱形状を有しており、軸心を中心として１８０度以上回転可能となっている。つまり、第１の筐体２及び第２の筐体３は、回転部１５を介して、回転部１５の軸中心に連結部７と一体として１８０度回転可能であり、それぞれ所望の面を蓋部１３に対向させてから、ヒンジ１６を用いて折り畳むことができる。したがって、第１の筐体２及び第２の筐体３を取り付けてある連結部７を蓋部１３から取り外すことなく、第１の筐体２及び第２の筐体３の所望の面を蓋部１３と対向させることが可能となる。
【００６５】
ヒンジ１６内には、第１の筐体２と第２の筐体３とを電気的に接続するための図示されない可撓性基板が組み込まれている。第１の筐体２又は第２の筐体３はコネクタ７１とそれぞれ電気的に接続され、コネクタ７１は可撓性基板やケーブルと接続されている。
【００６６】
蓋部１３には、決定ボタン１１を有する面を折り畳んだ場合に対向する面の対応する位置に、決定ボタン１１を押し下げる突起部１２を備える。決定ボタン１１及び突起部１２を用いることで、実施の形態１と同様、折り畳んだ状態で操作可能とする面を１面のみとすることができる。
【００６７】
例えば、回転体１５を用いる場合、図１０において、第１の筐体２及び第２の筐体３を蓋部１３側へ折り畳むと、第１の筐体２に備えた決定ボタン１１が蓋部１３に備えた突起部１２により押し下げられる。
【００６８】
そして、折り畳んでいる間、第１の筐体２に備えた決定ボタン１１は継続して押し下げられており、携帯操作装置１の演算処理部は、決定ボタン１１が所定の時間経過しても開放されないことを検知し、蓋部１３へ折り畳まれた第１の筐体２の外面についても操作可能な面とは判断せず、操作ボタン等に対する操作を受け付けない。
【００６９】
以上のような構成とすることにより、折り畳んだ状態で操作可能とする面を１面のみとすることができ、４面それぞれに別の機能に対応する操作部、表示部等を設けることにより、最大４つの機能を１つの携帯操作装置１で操作することが可能となる。
【００７０】
また、蓋部１３が存在することで、折り畳んだ状態で操作する場合に、別の面の操作部、表示部等を誤って操作する可能性がなくなり、確実に所望の機能に対する操作を行うことが可能となる。
【００７１】
なお、第１の筐体２又は第２の筐体３の所望の面を、蓋部１３と対向させる方法は、上述したコネクタ７１を用いて、第１の筐体２及び第２の筐体３を取り付けた連結部７を抜き差しすることで面を変更する方法、回転部１５を用いて第１の筐体２及び第２の筐体３を取り付けてある連結部７を１８０度回転させる方法に限定されるものではなく、例えば両者を組み合わせた方法であってもよい。
【００７２】
また、実施の形態１と同様、第１の筐体２又は第２の筐体３と、コネクタ７１とは脱着可能であることから、操作すべき機能が４つを超える場合であっても、第１の筐体２又は第２の筐体３を別の機能を有する筐体と交換することにより、対応可能である。
【００７３】
さらに、蓋部１３の表裏両面にも、新たな機能に対応した操作部、表示部等を設けることにより、筐体を交換することなく、最大６つの機能に対して確実に操作することが可能となる。
【００７４】
また、携帯操作装置１が、テレビジョン装置、ステレオ再生装置等の遠隔操作装置（以下、リモコン装置）として機能する場合、第１の筐体２及び第２の筐体３を折り畳んだ状態で、リモコン操作用の信号を送信可能とする必要がある。図１１は、第１の筐体２の一面がリモコン装置として機能する場合の、操作信号発光部の位置の例を示す図である。
【００７５】
図１１に示すように、操作信号発光部２２、２２は、実施の形態１と同様、第１の筐体２の連結部７側に設けており、蓋部１３の背面により光が遮られることがない位置に配置されている。これにより、ユーザは、第１の筐体２を蓋部１３に折り畳んだそのままの状態でリモコン操作を行うことができる。
【００７６】
以上のように本実施の形態２では、例えばユーザが、携帯操作装置を折り畳んだ状態で把持している場合であっても、ユーザの方へ対向する面の反対側の面の操作ボタン等をユーザが誤って操作することがなく、ユーザが使用対象であると認識している機能に対して、正確な操作を行うことが可能となる。
【００７７】
また、第１の筐体の２面、第２の筐体の２面と併せて６面のいずれか１面がユーザの方に対向することになり、例えば各面がそれぞれ異なる機能に対応するよう操作部、表示部等が配置されている場合、６つの機能をユーザが使い分けることができ、ユーザによる誤操作を未然に回避することも可能となる。
【図面の簡単な説明】
【００７８】
【図１】本発明の実施の形態１に係る携帯操作装置を開いた状態での外観を示す斜視図である。
【図２】本発明の実施の形態１に係る携帯操作装置を開いた状態（ａ）及び折り畳んだ状態（ｂ）での側面図である。
【図３】コネクタの構成を示す斜視図である。
【図４】コネクタと第１の筐体又は第２の筐体との接続状態を説明する第１の筐体又は第２の筐体の幅方向の部分断面図である。
【図５】回転部を備える場合の携帯操作装置を開いた状態での外観を示す斜視図である。
【図６】本発明の実施の形態１に係る携帯操作装置の操作可能な面を変更する状態の説明図である。
【図７】第１の筐体の一面がリモコン装置として機能する場合の、操作信号発光部の位置の例を示す図である。
【図８】本発明の実施の形態２に係る携帯操作装置に用いる蓋部の構成を示す斜視図である。
【図９】本発明の実施の形態２に係る携帯操作装置に用いる連結部の構成を示す斜視図である。
【図１０】回転部を備える場合の携帯操作装置を開いた状態での外観を示す斜視図である。
【図１１】第１の筐体の一面がリモコン装置として機能する場合の、操作信号発光部の位置の例を示す図である。
【符号の説明】
【００７９】
１  携帯操作装置
２  第１の筐体
３  第２の筐体
４、７１  コネクタ
５、１５  回転部
６、１６  ヒンジ
７  連結部
１１  決定ボタン
１２  突起部
１３  蓋部
１４  接合体
１７  蓋連結部
【図１】
2005311787.tif 000003
【図２】
2005311787.tif 000004
【図３】
2005311787.tif 000005
【図４】
2005311787.tif 000006
【図５】
2005311787.tif 000007
【図６】
2005311787.tif 000008
【図７】
2005311787.tif 000009
【図８】
2005311787.tif 000010
【図９】
2005311787.tif 000011
【図１０】
2005311787.tif 000012
【図１１】
2005311787.tif 000013